(57)【要約】【課題】検索結果得られたノズルに関する問い合わせをユーザーがメーカーに対して効率良く行うことができるノズル情報検索システムを提供すること。【解決手段】ネットワーク上のサーバー２にカタログに基づいたデータベースを構築し、ユーザーがサーバー２にアクセスしてノズル情報を検索可能なノズル情報検索システムであって、サーバー２は、検索条件を入力することで、ノズル情報をデータベースから抽出するノズル型番検索手段２３ａと、検索結果として、ノズル情報とカタログ画像を表示させる検索結果ページを提供するページ提供手段２３ｂと、検索結果ページに設けられた電子メール起動手段２５ａとを備え、更に、電子メール起動手段２５ａにより起動される電子メール作成画面において、メーカーのアドレスを自動設定するアドレス設定手段２５ｂと、検索されたノズル情報を添付させる第１添付手段２５ｃと、カタログ画像を添付させる第２添付手段２５ｄとを備えた。【選択図】    図２
2004280241.tif 000002
【特許請求の範囲】
【請求項１】
ネットワーク上に設置されるサーバーシステムにノズルカタログに基づいたデータベースを構築し、ノズルユーザーがサーバーシステムにアクセスすることでノズル情報を検索できるようにしたノズル情報検索システムであって、
前記サーバーシステムは、
所定の検索条件を入力することで、ノズル情報を前記データベースから抽出するノズル型番検索手段と、
検索した結果として、ノズル情報とそのノズルのカタログ画像を表示させる検索結果ページを提供するページ提供手段と、
前記検索結果ページに設けられた電子メール起動手段とを備え、更に、
この電子メール起動手段により起動される電子メール作成画面において、
検索されたノズルのノズルメーカーのメールアドレスを自動設定するアドレス設定手段と、
前記検索結果ページに基づいたノズル情報を電子メールに添付させる第１添付手段とを備えたことを特徴とするノズル情報検索システム。
【請求項２】
前記第１添付手段は、前記検索結果ページに表示される情報のうちノズル情報と関係のない情報を削除処理したものを電子メールに添付させるように構成したことを特徴とする請求項１に記載のノズル情報検索システム。
【請求項３】
前記カタログ画像の画像データを電子メールに添付させる第２添付手段とを備えたことを特徴とする請求項１又は２に記載のノズル情報検索システム。
【請求項４】
前記電子メール作成画面において、前記データベースに登録されているノズルユーザーの情報を添付させる第３添付手段を備えていることを特徴とする請求項１〜３のいずれか１項に記載のノズル情報検索システム。
【請求項５】
前記ページ提供手段により提供されるページは、少なくとも、第１の言語に基づいて作成されたページと、第２の言語に基づいて作成されたページとが予め用意されており、
前記第１添付手段により前記ノズル情報を添付するに際して、いずれの言語に基づいて作成した前記ノズル情報を添付させるべきかを、各ノズルメーカー毎に予め設定してあることを特徴とする１〜４のいずれか１項に記載のノズル情報検索システム。
【請求項６】
前記各添付手段の少なくとも１つは、添付ファイル形式で電子メールに添付するものであり、添付させるに際して、所定の形式のファイルに変換することを特徴とする請求項１〜５のいずれか１項に記載のノズル情報検索システム。
【発明の詳細な説明】
【０００１】
【発明の属する技術分野】
本発明は、ネットワーク上に設置されるサーバーシステムにノズルカタログに基づいたデータベースを構築し、ノズルユーザーがサーバーシステムにアクセスすることでノズル情報を検索できるようにしたノズル情報検索システムに関する。
【０００２】
【従来の技術】
かかるシステムとしてノズル情報検索システムが知られている（特許文献１参照）  。このシステムでは、ネットワーク（インターネット）  上に設置されるサーバーには、ノズルメーカーのノズルカタログに記載されたノズル情報をデータベース化し、ノズルユーザーがサーバーにアクセスすることで、自分の希望するノズル情報を検索することができる。かかるノズル情報検索システムを提供するために、サーバーには種々のサイト（ＷｅｂサイトあるいはＷｅｂページ）  が構築される。このサイト群は、一般的にはＨＴＭＬファイルの形態でサーバーに保存されている。サイト群は、検索システムのトップページ、会員登録のためのサイト、検索の方法を説明するためのサイト、実際に検索を行うためのサイト等から構成される。
【０００３】
ユーザーは、上記の検索システムを利用してノズル情報の検索を行うと検索結果として、例えば、多数のノズル型番が一覧表として表示される。また、その一覧表の中にある特定のノズルについて、データベースに登録されているカタログ情報やカタログ画像も見ることができるように検索システムが構築されている。そして、ユーザーは、検索されたノズルのうちの特定のメーカーのノズルについて、そのメーカーに対して問い合わせを行いたいことがある。
【０００４】
【特許文献１】
特開２００３−２２３８６号公報  （特許請求の範囲等）
【発明が解決しようとする課題】
その場合に、検索結果得られたノズルの仕様情報や、カタログ画像をプリントアウトし、ＦＡＸを用いてノズルメーカーに送信する方法が考えられるが、わざわざ検索結果をプリントアウトする手間やＦＡＸするための書類の作成の手間がかかり煩雑である。
【０００５】
本発明は上記実情に鑑みてなされたものであり、その課題は、検索結果が得られたノズルに関する問い合わせをユーザーがメーカーに対して効率良く行うことができるノズル情報検索システムを提供することである。
【課題を解決するための手段】
上記課題を解決するため本発明に係るノズル情報検索システムは、
ネットワーク上に設置されるサーバーシステムにノズルカタログに基づいたデータベースを構築し、ノズルユーザーがサーバーシステムにアクセスすることでノズル情報を検索できるようにしたノズル情報検索システムであって、
前記サーバーシステムは、
所定の検索条件を入力することで、ノズル情報を前記データベースから抽出するノズル型番検索手段と、
検索した結果として、ノズル情報とそのノズルのカタログ画像を表示させる検索結果ページを提供するページ提供手段と、
前記検索結果ページに設けられた電子メール起動手段とを備え、更に、
この電子メール起動手段により起動される電子メール作成画面において、
検索されたノズルのノズルメーカーのメールアドレスを自動設定するアドレス設定手段と、
前記検索結果ページに基づいたノズル情報を電子メールに添付させる第１添付手段とを備えたことを特徴とするものである。
このノズル情報検索システムによる作用・効果は、以下の通りである。
サーバーシステムにノズル型番検索手段を設け、所定の検索条件を入力することで、ノズル情報をデータベースから抽出することができる。そして、検索して得られた特定のノズルのノズル情報とカタログ画像を検索結果ページとして表示させる。このページには、電子メール起動手段が設けられている。例えば、ページ内の特定の部分をクリックすれば、電子メールソフトが起動するようにする。これにより、電子メール作成画面を起動させることができる。そして、この電子メール作成画面において、ノズルメーカーのメールアドレスが自動設定されている。また、ノズル情報とカタログ画像を添付させる第１添付手段が設けられている。従って、メールアドレスを入力する手間や、ノズル情報を電子メールに添付する手間を省くことができる。なお、添付させる形態は、ファイル添付をしてもよいし、メール本文中に組みこまれるようにしても良い。以上の構成によると、検索結果得られたノズルに関する問い合わせをユーザーがメーカーに対して効率良く行うことができるノズル情報検索システムを提供することができる。
【０００６】
本発明の好適な実施形態として、  前記第１添付手段は、前記検索結果ページに表示される情報のうちノズル情報と関係のない情報を削除処理したものを電子メールに添付させるように構成したものがあげられる。
【０００７】
検索結果ページにおいて表示される情報には、ノズル情報に関係のある情報だけでなく、関係のない情報も存在する。  例えば、リンクボタンをページに設けた場合、これはノズル情報には関係がない。そこで、単に検索結果ページを添付するのではなく、ノズル情報と関係のない情報を削除処理したものを添付するのがよい。これにより、情報量を減らすことができるとともに、この情報を見るメーカー側も見やすい情報とすることができる。
【０００８】
本発明の別の好適な実施形態として、前記カタログ画像の画像データを電子メールに添付させる第２添付手段とを備えたものがあげられる。
【０００９】
カタログ画像を添付させることで、メーカはユーザーがどのノズルについて問い合わせをしたいのかを明確に知ることができる。
【００１０】
本発明の好適な実施形態として、前記電子メール作成画面において、前記データベースに登録されているノズルユーザーの情報を添付させる第３添付手段を備えているものがあげられる。
【００１１】
これにより、ユーザーは自分自身の情報を入力する手間を省くことができる。
【００１２】
本発明の別の好適な実施形態として、前記ページ提供手段により提供されるページは、少なくとも、第１の言語に基づいて作成されたページと、第２の言語に基づいて作成されたページとが予め用意されており、
前記第１添付手段により前記ノズル情報を添付するに際して、いずれの言語に基づいて作成した前記ノズル情報を添付させるべきかを、各ノズルメーカー毎に予め設定してあるものがあげられる。
【００１３】
例えば、検索システムを利用するユーザーが、第１の言語が理解できるユーザーであり、第１の言語に基づいて作成されたページを検索結果得たとする。そして、ユーザーが電子メールを送信したいノズルメーカーには、第１の言語による情報を送信すべきか、第２の言語による情報を送信すべきかを予め設定しておく。すなわち、  ノズルメーカーにとって理解のしやすい言語で作成されたノズル情報を送信するようにしている。これにより、ノズルユーザーとノズルメーカーとの意思疎通を適切に行うことができる。
【００１４】
本発明の更に別の好適な実施形態として、前記各添付手段の少なくとも１つは、添付ファイル形式で電子メールに添付するものであり、添付させるに際して、所定の形式のファイルに変換するものがあげられる。
【００１５】
例えば、特定のファイル形式（ｐｄｆ等）に変換することで、データ量を減らし、電子メールを送信する際のサーバーややユーザーのパソコンの負担を軽減することができる。
【００１６】
【発明の実施の形態】
本発明に係るノズル情報検索システムの好適な実施形態を図面を用いて説明する。  図１は、ノズル情報検索システムの構成を示す概念図である。
【００１７】
＜システム全体構成＞
このシステムは、データベースに構築されたノズル情報を提供する総合ノズルコンサルタント会社Ｃ（以下、コンサルタント会社と略し、サーバー管理者にも該当する。  ）の管理するサーバーシステム２と、ノズルユーザーＡ（以下、単に「ユーザー」  と略す。）のクライアント装置１とがインターネットＢ（ネットワークに相当する）  により接続されている。クライアント装置１は、一般的にはパソコンが使用され、インターネットに接続してホームページを閲覧するためのブラウザがインストールされている。また、ノズルメーカーＤのシステムにも接続されている。
【００１８】
サーバーシステム２は、いわゆるＷｅｂサーバを中核として構成されるものであり、ノズル情報検索システムを利用するために種々のページ（サイト）  を用意している。このサイトマップについては、後述する。  ページは、ＨＴＭＬファイルの形式でハードディスクに保存されている。また、サーバーシステムには、システム運用のために必要なソフトウェアとして、ＯＳ及び各種アプリケーションがインストールされている。また、世界各国のノズルメーカーが提供するノズルカタログ２１に基づいて、ノズル情報のデータベース２０を構築している。このデータベース２０の概要は、本出願人による前述の特許文献１に開示されている。
【００１９】
先ほど述べたようにデータベース２０には、ノズルカタログに基づいてノズル情報をデータベース化しているが、例えば、ノズル仕様情報とノズル型番情報とを対応付けてデータベースに登録している。また、ノズル型番情報と、その型番に対応する圧力、流量、噴射角、噴射パターン、材質等の仕様情報が登録される。従って、ユーザーの要望する噴射角の数値をキーワードとしてデータベース２０を検索することができる。また、各社のカタログ画像データ２１も入力されており、あるメーカーの型番が指定された場合は、その型番のノズルが掲載されているカタログの該当するページを検索することができるようになっている。これにより、ユーザーは、このデータベース２０を利用することで、世界のノズルメーカーのカタログ情報を取得することができる。
【００２０】
＜サーバーシステムの構成＞
次に、サーバーシステム２の制御ブロック構成を図２により説明する。送受信部２２は、ユーザー、コンサルタント会社等のパソコン（以下、外部パソコンと総称することがある。）からのアクセス要求に応じて、Ｗｅｂページ（ホームページ）データ（ＨＴＭＬデータ）や電子メールを送信する。また、外部パソコンにより入力されたデータ、電子メール等を受信する。この送受信部２２は、サーバーシステム２を構成するコンピュータにインストールされるプログラム（ＯＳ等）や通信インターフェースにより構成することができる。
【００２１】
Ｗｅｂページ記憶部２３は、ＷｅｂページデータがＨＴＭＬファイルの形式で保存されている。Ｗｅｂページ処理部２４は、外部パソコンからのアクセス要求に応じて、Ｗｅｂページ記憶部２３に記憶されているＷｅｂページデータを送受信部２２を介して送信させる。また、ＣＧＩプログラムによる処理結果やデータベース２０の検索結果をＷｅｂページの形態に処理し（ＨＴＭＬデータを生成し）、外部パソコンへと送信する。
【００２２】
電子メール処理部２５は、外部パソコンから送信されてくる電子メールの処理、例えば、電子メールに書かれているデータの解析等を行う。解析結果に基づき、ＣＧＩプログラムが起動される。また、外部パソコンへ送信すべき電子メールの自動作成を行う。ＣＧＩシステム２６とは、サーバーが外部のプログラム（ＣＧＩプログラム）を呼び出して実行させる機能のことをいう。ＣＧＩシステム２６の中核をなすＣＧＩプログラムが多数格納されている。
【００２３】
データベース制御部２９は、ユーザーのパソコンから送信されてきたキーワード情報に基づいて、データベース２０の検索を行う。検索結果は、ＣＧＩシステム２６の機能により、Ｗｅｂページの形態でユーザーのパソコンに返信される。
【００２４】
Ｗｅｂページ記憶部２３には、Ｗｅｂページデータが多数格納されているが、本発明と特に関連するものについて図２に示している。本検索システムでは、４つの検索方法を提供しており、具体的には、スタンダード検索、エキスパート検索、ノズル仕様検索、類似ノズル検索の４つである。そのための検索ページを提供する。また、スタンダード検索用ページは、各種入力フォームを提供するための手段（第１手段、第２手段、第３手段等のページ提供手段２３ｂ）を有する。ページ提供手段は、検索結果を表示させるページ等も提供する。また、エキスパート検索用ページ、ノズル仕様検索用ページ、類似ノズル検索用ページも、各種入力フォームを提供するための手段を有する。なお、ノズル型番検索手段２３ａとして機能するのは、スタンダード検索用ページと、エキスパート検索用ページである。なお、本検索システムにより提供される全てのページは、後述するように、英語のページと日本語のページとが用意されている。ただし、英語圏や日本語圏以外の国のユーザーにも検索システムを利用してもらいやすいように、  翻訳サイト２８とリンクさせる機能を適宜ページの中に組みこんでいる。
【００２５】
次に、電子メール処理部２５の機能のうち、本願と関連する機能を説明する。電子メール起動手段２５ａは、電子メールソフトウェア１９を起動させる。つまり、ユーザーのパソコン画面に電子メール作成画面を表示させる。アドレス設定手段２５ｂは、電子メールの送信先であるメールアドレスを設定する。第１添付手段２５ｃは、電子メールにノズル情報を添付させる機能を有する。第２添付手段２５ｄは、電子メールにノズルカタログ画像を添付させる機能を有する。第３添付手段２５ｅは、電子メールにノズルユーザー情報を添付させる機能を有する。ファイル変換手段２７は、電子メールにファイルを添付させる場合に、ファイルの形式を変換する機能を有する。
【００２６】
＜サイトマップ＞
次に、Ｗｅｂページ記憶部２３に格納されているページ  （サイト）  の構成を図３〜図５のサイトマップにより説明する。各ページは、日本語（第１の言語）に基づいて作成した第１ページ群と、同じ内容を英語  （第２の言語）に基づいて作成した第２ページ群とにより構成されている。従って、第１ページ群も第２ページ群もサイトマップとしては同じ構成となる。また、各ページ群に含まれているページのうち特定のページについては、日本語と英語に加えて、ドイツ語、フランス語、イタリア語、スペイン語、中国語、韓国語、アラビア語、ロシア語、ポルトガル語（これらは第３の言語に相当）に基づいて記載されている。本システムは、世界各国に存在するユーザーに利用してもらうため、特定のページについては全部で１１カ国の言語に基づいて作成されている。これにより、利便性の高いシステムを提供することができる。
【００２７】
図３，４，５において、ページを番号で示している。番号を二点鎖線の枠で囲んでいるページは、別ウィンドウで起動するページを示す。ページ間のリンク関係を矢印で示している。ページの説明は概略にとどめ、本発明と関係するページについては、後で詳細に説明する。図３〜５には、サイトマップの全体を示しており、ページ間のリンク関係が違う図面にまたがる場合は、○付数字で矢印をつないでいる。また、図中、ひし形の記号は、何らかの判断処理が行われることを示している。
【００２８】
「１」はコンサルタント会社のトップページである。「２」は、ノズル情報検索システムのトップページである。「３」は、世界１１カ国の言語で本システムの案内がされていることを説明するページ（第２の特定ページ）  である。「４」はキャンペーン中であることを説明するページである。「５」は目次ページである。
【００２９】
「６」はノズル情報検索システムのクイックガイドを示すページ  （特定ページ）  である。「７」は、システムの特徴を説明するページである。「８」はデータベース化されているノズルカタログ情報の内容を説明するページである。「９」は検索方法の種類を説明するページである。「１０」は、ノズル検索の操作を説明するページである。「１１」〜「１３」は、スタンダード検索の手順を説明するページである。「１４」はスタンダード検索の結果を表示するページである。「１５」はスタンダード検索の詳細結果を説明するページである。詳細結果において、カタログ画像をＰＤＦファイルで見ることができる。
【００３０】
「１６」〜「１９」はエキスパート検索の手順を説明するページである。「２０」は、エキスパート検索の結果を示すページである。「２１」はエキスパート検索の詳細結果を説明するページである。詳細結果において、カタログ画像をＰＤＦファイルで見ることができる。
【００３１】
「２２」はノズル仕様検索を説明するページである。「２３」は、ノズル仕様検索の結果を示すページである。「２４」は、ノズル仕様検索の詳細結果を説明するページである。「２５」は、類似ノズル検索の手順を示すページである。「２６」は、類似ノズル検索の結果を説明するページである。「２７」は、類似ノズル検索の詳細結果を説明するページである。「２８」は、単位換算を行うためのページである。このページは、単位換算を必要とするページにリンクさせている。
【００３２】
「２９」は、利用手続を説明するページである。「３０」は、サービス提供時間を説明するページである。「３１」は、利用料金と支払い方法を説明するページである。「３２」は、パソコンの推奨環境を説明するページである。「３３」は、利用規約を説明するページである。「３４」は、セキュリティポリシーを説明するページである。「３５」は、プライバシーポリシーを説明するページである。「３６」は、ＦＡＱ（よくある質問集）を説明するページである。「３７」は、問い合わせに関して説明するページである。「３８」は、サイトマップを説明するページである。「３９」は、サービスに関する表示をしたページである。「４０」は、カタログダウンロードを説明するページである。
【００３３】
「１０２」は、会員がログインするためのページである。すなわち、  本システムを利用するためには、会員登録を予め行っておく必要がある。会員登録を行った後、ＩＤとパスワードを入力することで、システムの利用が可能になる。「４１」は、カタログ送付先情報の記入フォームを説明するページである。「４２」は、エラー表示をするためのページである。「４３」は、送信内容の確認をさせるためのページである。「４４」は、送信完了を知らせるページである。
【００３４】
「４５」は、会員登録申し込みのトップページである。「４６」は、無料サービスの案内を知らせるページである。「４７」は、エラー表示をするページである。「４８」は、会員登録の申し込みフォームをユーザーに提供するためのページである。「４９」は、会員登録の申し込み内容をユーザーに確認させるためのページである。「５０」「５１」は、会員登録申し込み完了を知らせるためのページである。
【００３５】
「５２」は、利用料金の支払いを説明するページである。「５３」は、利用料金決済完了を知らせるためのページである。
【００３６】
「５４」は、会員がログインするためのページである。「５５」は、ログインエラーを知らせるためのページである。このエラー表示がされた場合は、ユーザーは、ＩＤとパスワードの入力をやり直す。「５６」は、アクセス制限中であることを知らせるページである。「５７」は、システム停止中を知らせるページである。「５８」は、タイムオーバーを知らせるページである。本システムは、支払われた料金に対応した時間だけ利用できるようになっている。「５９」は、会員情報の確認と変更、利用時間の確認を説明するページである。
【００３７】
「６０」は、パスワードの変更をするためのページである。「６１」は、入力したＩＤとパスワードのエラーを知らせるためのページである。「６２」は、パスワードの変更完了を知らせるページである。「６３」は、ユーザーの住所・連絡先の確認と変更をするためのページである。「６５」は、住所・連絡先を変更するための入力フォームを提供するためのページである。「６６」は、入力エラーを知らせるためのページである。「６７」は、住所・連絡先の変更内容を確認するためのページである。「６８」は、住所・連絡先の変更が完了したことを知らせるページである。
【００３８】
「６９」は、ＩＤとパスワードの確認をするためのページである。「７０」は、入力エラーを知らせるためのページである。「７１」は、ＩＤとパスワードの表示をするページである。「７２」は、システムの利用状況を確認するためのページである。「７３」は、利用状況を知らせるためのページである。
【００３９】
「７４」は、退会申請の入力フォームを提供するためのページである。「７５」は、退会手続完了を知らせるためのページである。
【００４０】
次に、検索基本パターンのサイトマップを図５により説明する。
「７６」は、利用残り時間を表示するページである。これは、検索基本パターンにおける各ページに共通のボタンとして設定されている。「７７」は、検索方法を説明するページである。検索方法としては、ノズル型番に基づいた検索と、ノズルの仕様に基づいた検索と、似た性能のノズルも検索できる類似ノズル検索がある。型番検索は、概略条件を入力することで検索するスタンダード検索と、詳細条件を入力することで検索するエキスパート検索とがある。すなわち、  ４通りの検索方法を提供する。
【００４１】
「７８」〜「８０」は、スタンダード検索のための入力フォームを提供するページ（第１〜第３手段）である。「８１」は、スタンダード検索の検索結果の一覧表を表示するページである。「８２」は、検索エラー（無検索）  を表示するためのページである。「８３」は、スタンダード検索結果の詳細表示をするためのページである。このページにおいて、検索されたノズルのカタログ画像をＰＤＦファイルで表示させることができる。「Ｍ」は、メールソフトが起動することを示す。すなわち、  検索されたノズル群のうち、ユーザーが選択したノズルのメーカーに対して電子メールを送信可能である。「８４」は、電子メール送信不可であることを表示するページである。
【００４２】
「８５」〜「８８」は、エキスパート検索のための入力フォームを提供するページ  （第４〜第７手段）  である。「８９」は、エキスパート検索の検索結果の一覧表を表示するページである。「９０」は、検索エラーを表示するためのページである。「９１」は、エキスパート検索結果の詳細表示をするためのページである。カタログ画像と電子メールに関しては、スタンダード検索と同様である。
【００４３】
「９２」は、ノズル仕様検索のための入力フォームを提供するページである。「９３」は、ノズル仕様検索の検索結果の一覧表を表示するページである。「９４」は、検索エラーを表示するためのページである。「９５」は、ノズル仕様検索結果の詳細表示をするためのページである。カタログ画像と電子メールに関しては、スタンダード検索と同様である。
【００４４】
「９６」は、類似ノズル検索のための入力フォームを提供するページである。「９７」は、ノズル仕様検索の検索結果の一覧表を表示するページである。「９８」は、検索エラーを表示するためのページである。「９９」は、ノズル仕様検索結果の詳細表示をするためのページである。カタログ画像と電子メールに関しては、スタンダード検索と同様である。
【００４５】
「１００」は、単位換算のためのページである。ノズルカタログで使用されている圧力や流量の単位は、メーカー間による統一がされていない。そこで、ユーザーの使いやすい単位に変換できるようにしている。「１０１」は、複数ログインエラーを知らせるページである。「１０２」は、会員ログインのためのページである。「１０３」は、ログアウト確認のためのページである。
【００４６】
＜検索方法の選択＞
次に、本発明に係るノズル情報検索システムにおける４つの検索方法の選択を説明する。図６は、検索方法を選択するためのページの表示構成例を示す。ここに示すように、本検索システムは４つの検索方法を提供する。すなわち、  ノズル型番検索として、スタンダード検索とエキスパート検索、ノズル仕様検索と、類似ノズル検索である。画面上の「検索画面へ」と書かれたボタン４０をクリックすれば、夫々の検索画面へと移行する。なお、画面右上の、「ご利用残り時間」をクリックすれば、残り時間を知ることができる  （図５の「７６」で示すページ）  。以下、スタンダード検索についてのみ説明する。
【００４７】
＜スタンダード検索＞
スタンダード検索は、概略の検索条件を入力して、ノズル型番を多数検索する方法である。広範囲で多数のノズル型番を検索することができる。スタンダード検索では、３段階に分けて検索条件を入力可能である。図６に示す画面において、スタンダード検索を選択すると、まず図７に示すようなステップ１の検索画面  （入力フォーム）  に移行する。これは第１手段の機能に基づく。
【００４８】
画面の上部には、入力済みの検索条件を表示する表示エリア４１が設けられている。ステップ１では、ノズルの分類を検索条件として入力する。あらかじめ、「液体用ノズル」「気体用ノズル」・・・のように分類がされており、ラジオボタンをクリックすれば、いずれか１つの分類を選択することができる。選択を終了すると、画面下にある「次ページ」ボタンをクリックすれば、ステップ２へ進む。
【００４９】
図８は、スタンダード検索の第２ステップの検索画面  （入力フォーム）  を示す図である。これは第２手段の機能に基づく。ステップ１と同様に表示エリア４１が設けられている。この表示エリア４１には、ステップ１で入力済みのノズルの分類として、「蒸気ノズル」が表示されている。これにより、過去に（別のステップで）入力した検索条件を確認することができる。ステップ１の条件を変更したい場合は、表示エリア４１の中で「Ｓｔｅｐ１」と表示された箇所をクリックすれば、先ほどの図７の検索画面に戻ることができる。
【００５０】
ステップ２では、スプレーパターンを選択する。スプレーパターンは、ノズルの先端から外部に流体が噴射されるときの噴射パターンである。スプレーパターンの表現については、ノズルメーカーの間で統一されたものがなく、また、言葉で表現すること自体も難しい。従って、ユーザーに検索条件としてスプレーパターンを入力させる場合に、どのような形で入力させるかは重要である。また、ユーザーが入力しやすいような形態でなければならない。そこで、スプレーパターンをイラスト化して表示させるようにした。本願発明者は、世界各国のノズルカタログを検討し、全てのノズルを図８に示すようにイラスト化されたスプレーパターンで分類した。夫々のスプレーパターンには、形状ＩＤも付している。なお、スプレーパターン断面が同じであっても、流体の噴射方向が異なる場合は、異なる分類として扱っている。言葉による説明だけでなく、スプレーパターンをイラスト化しているので、ユーザーは迷うことなく自分の要望するノズルのスプレーパターンを選択することができる。選択は、いずれか１つのラジオボタンをクリックすればよい。ステップ２の入力が終わると、「次ページ」  ボタンをクリックしてステップ３に進む。
【００５１】
図９は、ステップ３の検索画面  （入力フォーム）  の構成例を示す図である。これは第３手段の機能に基づく。ステップ３では、概略のノズル仕様を検索条件として入力する。他の、ステップ１，２の画面と同様に、表示エリア４１が設けられている。既に入力済みのノズルの分類とスプレーパターンをイラスト化したものが表示されている。表示エリア４１の機能は、すでに説明したのと同じである。
【００５２】
画面の下部にノズル仕様を入力するための入力フォームが示される。具体的には、流体圧力と噴射流体流量とスプレー角度とを入力できる。流体圧力を入力する入力欄４３と、単位を選択する入力欄４５とが設けられている。入力欄４３には、数値を入力する。単位については、メーカーやユーザーによって取り扱っている単位が異なっているので、選択できるようにした。なお、ユーザーの選択した単位と、メーカーのカタログ記載の単位とが異なっていたとしても、単位換算の演算処理を行って検索するようにしているので、選択した単位に依存して検索結果が異なることはないようにしている。噴射流体流量についても、単位を選択できる。なお、単位換算表と記載されているボタン４２をクリックすると、単位換算するためのページが別ウィンドウで表示される。このページで、単位換算を行うことができるので、ユーザーは必要に応じて利用すればよい。
【００５３】
また、噴射流体流量とスプレー角度については、許容範囲も入力できるような入力欄４４も設けている。これは、もし許容範囲を入れない場合は、入力した流体圧力に対応する噴射流体流量及びスプレー角度を有するノズルが検索されない可能性が高くなるからである。つまり、ピンポイントの数値の検索では、ユーザーの要望する特性を有するノズルが存在するにもかかわらず、検索結果として抽出されないということがありうる。  そこで、本検索システムでは、許容範囲も入力させるようにして、確実に検索できるようにしている。
【００５４】
ステップ３の検索条件を入力し終わったら、検索開始ボタンをクリックすると、検索が行われる。なお、既に入力済みの検索条件のやり直しをする場合は、表示エリア４１の中にある該当する箇所をクリックすれば、選択したステップの検索画面のところに戻る。また、検索を実行するにあたり、ステップ１とステップ２とは必須項目であるが、ステップ３のノズル仕様については、入力しなくても検索を行うことができる。あるいは、ノズル仕様の一部のみを入力しても良い。これにより、広範囲にわたってノズルを検索することができる。
【００５５】
図１０は、スタンダード検索における検索結果の一覧表を表示する画面の構成例である。この画面においても、検索条件を表示する表示エリア４１が設けられている。機能は同じである。
【００５６】
一覧表は、画面の下部に示される。表の項目として、システムコード、メーカー、国籍、カタログ言語、メーカー型番、圧力値、単位、単位選択、流量値、単位、単位選択、スプレー角度が図示されている。図示の都合で示してはいないが、材質、ネジの規格・サイズ・オスメスの区別、バルブ、ストレーナについての項目も設けられる。このように、検索結果をノズル型番として抽出することができる。検索個数が多数の場合は、複数ページにわたって一覧表が作成される。ユーザーは、この検索結果を見て、新たに検索条件を入力したい場合は、画面の下にある「検索方法」の選択と記載されたボタンをクリックすればよい。この場合、入力した数値はクリアされる。また、検索結果を更に絞込みたい場合は、エキスパート検索に行くことができる。この場合も、画面下にある「エキスパート検索」  と記載されたボタンをクリックすればよい。これについては後述する。
【００５７】
一覧表に表示されている各社のノズルのうちの、特定のノズル型番のノズルについて詳細に知りたい場合は、一覧表の中のメーカー型番の枠内（例えば、図番４６で示している箇所）  をクリックすればよい。これにより、図１１，１２に示す、検索結果詳細表示の画面に移行する。図１１の画面を下方にスクロールすれば図１２の画面になる。
【００５８】
図１１の画面においても、上部に表示エリア４１が設けられている。機能は、すでに説明した通りである。また、単位換算表のためのクリックボタン４２も設けられている。
【００５９】
選択した特定のノズルメーカーの特定のノズル型番についての詳細表示が一覧表４８として表示されている。そのノズルのメーカーのＵＲＬも表示されており、メーカーのホームページもすぐに見ることができる。図１２に示すように、圧力−流量特性表４９と圧力−スプレー角度特性表５０が表示されており、単位も選択できる。異なる単位を選択すると、演算処理がされ、選択した単位に対応した数値に変換される。
【００６０】
一覧表４８の下方には、検索されたノズルに関連したノズルカタログのページ５１がサムネイル画像として表示されている。そのページの箇所をクリックすると、画像が拡大されてカタログ画像を通常の大きさで見ることができる。
【００６１】
先ほどと同様に、新たに検索条件を入力したい場合は、「検索方法」の選択と記載されたボタン５３をクリックすればよい。
【００６２】
画面の下部には、「添付メーラー起動」と記載されたボタン５２が設けられている。ユーザーは、メーカーに対して問い合わせを行いたい場合は、このボタン５２をクリックすればよい。これにより、電子メールのソフトウェアが自動的に起動する。また、宛先にもそのメーカーのメールアドレスが既に入力された状態となっている。以下、この点を詳しく説明する。
【００６３】
＜電子メール起動手段の機能説明＞
図１３は、電子メールソフトウェアを起動させる場合の手順を示すフローチャート、図１４は、電子メール作成画面の構成例を示す図である。スタンダード検索とエキスパート検索の検索結果を表示するページ（詳細表示のページ）において、ノズルメーカーへ電子メールを簡単に送信できるような仕組みを設けている。なお、ノズルユーザーは日本語が理解できるものであり、日本語に基づいて作成された検索結果のページを見ているものとする。
【００６４】
まず、先ほど説明したように、添付メーラー起動のボタン５２をクリックする（＃０１）。電子メール起動手段２５ａの機能に基づき、電子メールソフトウェア１９を立ち上げる（＃０３）。次に、  電子メールを送信するノズルメーカーのメールアドレスが自動設定される（＃０５）。これは、アドレス設定手段２５ｂの機能に基づく。次に、電子メールが送信されるノズルメーカーが日本のメーカーであるか日本以外のメーカーであるかを判断する（＃０７）。日本のメーカーである場合は、図１１と図１２に示される日本語で作成されたページの中から、必要なノズル情報の部分のみを抽出し、日本語によるノズル情報ファイルを作成する（＃０９）。ノズル情報のみを抽出するのは、図１１，１２のページの中には、ノズルメーカーに送信する必要のないデータも含まれているからである。例えば、単位換算表のボタンやそれに関する説明文、添付メーラー起動ボタンやそれに関する説明文はノズルメーカーにとっては不要な部分であるので、これらのデータは送信しないようにする。また、日本以外のメーカーの場合は、日本語に基づいて作成された情報を送信しても、簡単には理解することができない。そこで、上記のノズル情報を英語に基づいて作成したファイルを作成し、これをノズルメーカーに送信するようにしている（＃１１）。英語圏以外のノズルメーカーでも英語であれば理解できると考えられるからである。
【００６５】
次に、カタログ画像を選択する（＃１３）。この画像は、検索結果表示されるカタログページ５１（図１２参照）である。次に、ノズルユーザーの情報を検索し、そのファイルを作成する（＃１５）。このユーザー情報は、ユーザーが会員登録したときに入力した情報であり、図１５に示される会員情報の一覧表である。以上のように、３つのファイル、すなわち、  ノズル情報のファイル、カタログ画像のファイル、ユーザー情報のファイルが作成される。
【００６６】
次に、これらのファイルをｐｄｆファイル（所定形式のファイルに相当）に変換する（＃１７）。これにより、データ容量を減らすことができる。また、汎用性のあるファイル形式であり、どのノズルメーカーに送信してもファイルを開くことができる。なお、ｐｄｆファイルにする場合、３つのファイルをまとめて１つのファイルにしても良い。また、３つのファイルのうちの１つか２つをｐｄｆファイルに変換しても良い。以上のようにファイル変換が終了すると、ファイルを電子メールに添付させる処理を行う（＃１９）。
【００６７】
図１４に電子メール作成画面を示すが、宛先入力欄ｍ１には、ノズルメーカーのメールアドレスが自動的に挿入された状態になっている。添付ファイル挿入欄ｍ２には、第１・第２・第３添付手段２５ｃ，２５ｄ，２５ｅの夫々の機能に基づき、ファイルｆ１，ｆ２，ｆ３が自動的に添付される。本文記入欄ｍ３に文章を入力した後、所定の送信ボタンをクリックすれば、電子メールがノズルメーカーへと送信される。
【００６８】
＜その他の変形例＞
図１３に示すステップは必ずしも、図示する通りでなくてもよい。例えば、ステップ＃０５と＃０７は、  逆でも良い。
ノズル情報を図１１，１２に示すページの中から抽出してファイルを作成しているが、ページをそのまま（ＨＴＭＬファイルをそのまま）添付するようにしても良い。
ｐｄｆファイル以外のファイル形式に変換しても良い。また、ｐｄｆファイルへの変換は必ずしも必要はない。
【００６９】
ノズル情報、画像データ、ユーザー情報の添付は、ファイル添付ではなく、メール本文ｍ３の中に直接データを組み込んだ形にしても良い。
また、３つのファイルを添付しているが、ノズル情報についてのみを本文に添付するかファイル添付（例えば、ＨＴＭＬファイルやこれを変換処理したｐｄｆファイル）するようにしても良い。ノズルメーカーへ送信すべき情報としては、検索結果に基づいて作成されたノズル情報が最も重要であるからである。また、検索結果には、カタログ画像のサムネイル画像が嵌め込まれているので、このサムネイル画像の部分をクリックすれば実際のサイズの画像を見ることができる。したがって、カタログ画像データは、添付しておけばメーカーにとって便利であるが必ずしも必要はない。ただし、検索結果にカタログ画像のサムネイル画像が含まれない場合は、カタログ画像データを添付するほうが好ましい。
【００７０】
＜別実施形態＞
（１）本発明の検索システムにおいて、サーバーシステムを１台のサーバー装置で構成するか複数台で構成するかは適宜選択できるものである。複数台で構成して機能を分散することにより、各サーバー装置の負担を軽減することができる。例えば、Ｗｅｂサーバ、データベース・サーバーのように分散することができる。複数のサーバーで構成する場合に、サーバーが設置される場所が分散されていても良い。
【００７１】
（２）本実施形態では、第１の言語を日本語、第２の言語を英語としたが、これに限定されるものではない。ページ提供手段は、日本語と英語以外の第３の言語でもページを提供するようにしても良い。また、本実施形態では、日本以外のメーカーには、英語で作成した情報を送信するようにしているが、これに限定されるものではない。例えば、ドイツのメーカーであれば、ドイツ語（第３の言語に相当）の情報に変換してもよい。この場合、自動翻訳ソフトウェア（言語変換手段）  により、ドイツ語に変換するようにしてもよい。
【００７２】
（３）本実施形態では、ページ提供手段は、第１の言語と第２の言語に基づいて予め作成されている。これ以外にも、更に第３の言語に基づいて予め作成しておいてもよい。
【００７３】
（４）本実施形態ではスタンダード検索の検索結果における電子メール起動を説明したが、エキスパート検索の検索結果においても同様に構成することができる。
【図面の簡単な説明】
【図１】ノズル情報検索システムの構成を示す概念図
【図２】サーバーシステムの制御ブロック構成を示す図
【図３】サイトマップの構成を示す図
【図４】サイトマップの構成を示す図
【図５】サイトマップの構成を示す図
【図６】検索方法の選択画面の構成例を示す図
【図７】スタンダード検索におけるステップ１の検索画面の構成例を示す図
【図８】スタンダード検索におけるステップ２の検索画面の構成例を示す図
【図９】スタンダード検索におけるステップ３の検索画面の構成例を示す図
【図１０】スタンダード検索における検索結果の一覧表を表示する画面の構成例を示す図
【図１１】スタンダード検索における検索結果詳細表示の画面の構成例を示す図
【図１２】スタンダード検索における検索結果詳細表示の画面の構成例を示す図
【図１３】電子メールソフトウェアを起動させる場合の手順を示すフローチャート
【図１４】電子メール作成画面の構成例を示す図
【図１５】会員情報の一覧表を示す図
【符号の説明】
１        クライアント装置
２        サーバーシステム
２０      データベース
２１      ノズルカタログ
２２      送受信部
２３      Ｗｅｂページ記憶部
２３ａ    ノズル型番検索手段
２３ｂ    ページ提供手段
２４      Ｗｅｂページ処理部
２５      電子メール処理部
２５ａ    電子メール起動手段
２５ｂ    アドレス設定手段
２５ｃ    第１添付手段
２５ｄ    第２添付手段
２５ｅ    第３添付手段
２７      ファイル変換手段
【図１】
2004280241.tif 000003
【図２】
2004280241.tif 000004
【図３】
2004280241.tif 000005
【図４】
2004280241.tif 000006
【図５】
2004280241.tif 000007
【図６】
2004280241.tif 000008
【図７】
2004280241.tif 000009
【図８】
2004280241.tif 000010
【図９】
2004280241.tif 000011
【図１０】
2004280241.tif 000012
【図１１】
2004280241.tif 000013
【図１２】
2004280241.tif 000014
【図１３】
2004280241.tif 000015
【図１４】
2004280241.tif 000016
【図１５】
2004280241.tif 000017